(57)【要約】【課題】フィルム情報読取時の写真フィルムの蛇行搬送をある程度認めながらも、使用されているＣＣＤラインセンサ等の光電変換センサがもつ解像度を出来るだけ生かした撮影画像とバーコードの読み取りを実現するフィルム情報読取技術を提供する。【解決手段】ＣＣＤラインセンサ２３によって写真フィルム１００の撮影画像エリア１００ａとパーフォレーションエリア１００ｃとバーコードエリア１００ｂが同時に読み取られ、取得された読取データからパーフォレーションＰが認識され、認識されたパーフォレーションＰを基準として読取データにおける写真フィルム１００のバーコードの位置が決定され、このバーコードの位置に基づいて読取データからバーコードがデコードされる。【選択図】        図７
2005345700.tif 000002
【特許請求の範囲】
【請求項１】
その幅方向に撮影画像エリアとパーフォレーションエリアとバーコードエリアを配置させている写真フィルムを透過した光を光電変換する光電変換センサを用いて前記撮影画像エリアから撮影画像を読み取るとともに前記バーコードエリアからバーコードを読み取るフィルム情報読取方法において、
前記光電変換センサによって前記撮影画像エリアと前記パーフォレーションエリアと前記バーコードエリアが同時に読み取られ、前記光電変換センサによって取得された読取データから前記写真フィルムのパーフォレーションが認識され、前記認識されたパーフォレーションを基準として前記読取データにおける前記写真フィルムのバーコードの位置が決定され、前記決定されたバーコードの位置に基づいて前記読取データから前記バーコードがデコードされることを特徴とするフィルム情報読取方法。
【請求項２】
前記パーフォレーションの認識は所定レベルの透過濃度を条件として行われることを特徴とする請求項１に記載のフィルム情報読取方法。
【請求項３】
その幅方向に撮影画像エリアとパーフォレーションエリアとバーコードエリアを配置させている写真フィルムを透過した光を光電変換する光電変換センサを用いて前記撮影画像エリアから撮影画像を読み取るとともに前記バーコードエリアからバーコードを読み取るフィルム情報読取装置において、
前記光電変換センサによって前記撮影画像エリアと前記パーフォレーションエリアと前記バーコードエリアが同時に読み取られ、前記光電変換センサによって取得された読取データから前記写真フィルムのパーフォレーションを認識するパーフォレーション認識部と、前記認識されたパーフォレーションを基準として前記読取データにおける前記写真フィルムのバーコードの位置を決定するバーコード位置決定部と、前記決定されたバーコードの位置に基づいて前記読取データから前記バーコードをデコードするバーコードデコード部が備えられていることを特徴とするフィルム情報読取装置。
【請求項４】
前記パーフォレーション認識部は、前記読取データから前記パーフォレーションを認識するための明暗閾値を設定する閾値設定部を備えていることを特徴とする請求項３に記載のフィルム情報読取装置。
【発明の詳細な説明】
【技術分野】
【０００１】
本発明は、その幅方向に撮影画像エリアとパーフォレーションエリアとバーコードエリアを配置させている写真フィルムを透過した光を光電変換する光電変換センサを用いて前記撮影画像エリアから撮影画像を読み取るとともに前記バーコードエリアからバーコードを読み取るフィルム情報読取方法及びその方法を実施する装置に関する。
【背景技術】
【０００２】
現像された写真フィルムには、その幅方向の中央部に配置された撮影画像エリアに撮影画像が形成されているとともにその撮影画像エリアの外側に位置するフィルム長手方向に沿って所定ピッチでパーフォレーションが設けられ、さらにそのパーフォレーションとフィルムエッジ（フィルムの側端）との間のバーコードエリアにバーコード化されたＤＸコード及びコマ番号が形成されている。このバーコードは、写真フィルムから写真プリントを作製するいわゆる写真プリント処理においては重要な役割を果たすため、写真プリント処理にあたって予め読み取ってデコードしておく必要がある。
【０００３】
最近の写真プリント装置では、写真フィルムから写真プリントを作製する際、写真フィルムの撮影画像エリアから撮影画像を読み取って、デジタル画像データ化して、デジタル露光ユニットを用いて印画紙に撮影画像を露光する、デジタル露光方式が採用されている。その際、撮影画像を読み取る同時にバーコードも読み取ることも試みられている。
【０００４】
そのような写真フィルム情報読取装置として、写真フィルムの幅方向に沿って光電変換素子が配列されたＣＣＤラインセンサを用いて写真フィルムの撮影画像やバーコードを読み取るために、写真フィルムの幅方向に沿って、撮影画像エリアの範囲のみならず、写真フィルムの幅方向全域に亘って写真情報を読み取ることができるようにＣＣＤセンサを配置するとともに、ＣＣＤラインセンサの出力データから、まず、写真フィルムの存在しないときの受光量と、写真フィルムベース部を透過する受光量との差を利用して写真フィルムの幅方向端（フィルムエッジ）を検出し、次に検出された写真フィルムの幅方向端を基準として所定量内側に位置する画素による検出値をバーコードの検出データとして使用するものがある（例えば、特許文献１参照。）。ＣＣＤラインセンサを用いて写真フィルムからフィルム情報を読み取る際には一般的に写真フィルムを搬送することになるが、写真フィルムはその搬送時に多少蛇行することが避けられず、このため、ＣＣＤラインセンサの有効受光長さを写真フィルムの全幅に蛇行分だけ加えた長さに対応させる必要があり、同じ解像度のＣＣＤラインセンサの場合有効受光長さを長くすればするほど撮影画像のために利用される素子数は少なくなり、結果的に撮像画像に対する読取解像度は低下するという問題が生じている。写真フィルムの蛇行をなくせばＣＣＤラインセンサの有効受光長さを写真フィルムの全幅に対応させるだけでよいが、写真フィルム搬送詰まりの低減や、フィルム搬送機構の低コスト化を考慮すると、搬送される写真フィルムのある程度の蛇行は認めざるを得ない。
【０００５】
【特許文献１】特開平１０−０９３７４７号公報（段落番号００１０−００１６、００４８−００４９、図１６）
【発明の開示】
【発明が解決しようとする課題】
【０００６】
上記実状に鑑み、本発明の課題は、フィルム情報読取時の写真フィルムの蛇行搬送をある程度認めながらも、使用されているＣＣＤラインセンサ等の光電変換センサがもつ解像度を出来るだけ生かした撮影画像とバーコードの読み取りを実現するフィルム情報読取技術を提供することである。
【課題を解決するための手段】
【０００７】
上記課題を解決するため、その幅方向に撮影画像エリアとパーフォレーションエリアとバーコードエリアを配置させている写真フィルムを透過した光を光電変換する光電変換センサを用いて前記撮影画像エリアから撮影画像を読み取るとともに前記バーコードエリアからバーコードを読み取るフィルム情報読取方法において、本発明では、前記光電変換センサによって前記撮影画像エリアと前記パーフォレーションエリアと前記バーコードエリアが同時に読み取られ、前記光電変換センサによって取得された読取データから前記写真フィルムのパーフォレーションが認識され、前記認識されたパーフォレーションを基準として前記読取データにおける前記写真フィルムのバーコードの位置が決定され、前記決定されたバーコードの位置に基づいて前記読取データから前記バーコードがデコードされる。
【０００８】
この方法では、読取データにおけるバーコードエリアの位置は同じ読取データから認識されたパーフォレーションを基準とし、そこからフィルム幅方向でフィルムエッジ側に所定画素数離れた位置から所定画素数までの領域として決定することができ、そのバーコードエリアにバーコードが形成されているので、そこからバーコードをデコードすることができる。つまり、パーフォレーションエリアがバーコードエリアより内側に位置することから、読取データにおいて認識されたパーフォレーションを基準としてバーコード検出領域を設定することで蛇行によるフィルム幅方向の変位を考慮しても、従来のようなフィルムエッジ面を基準にしてバーコード検出領域を設定することに較べ、光電変換センサの有効受光長さをより有効に利用することができる。
【０００９】
フィルム面に達した光がパーフォレーションをそのまま通過して光電変換センサに達するため、読取データにおいてパーフォレーション部分は周辺のフィルムベースを通過した光に基づく部分に較べ透過濃度レベルが明らかに異なるため、パーフォレーションの認識は所定レベルの透過濃度を条件として容易に行うことが可能となる。
【００１０】
パーフォレーションエリアは、貫通孔としてのパーフォレーションとフィルムベース面との所定ピッチでの繰り返しであるが、その配置ピッチ単位での蛇行量はほとんど無視できる程度であるため、パーフォレーションだけを基準にしてバーコードエリアを決定してもさしつかえない。
【００１１】
本発明では、さらに、上述したフィルム情報読取方法を実施する装置も対象としており、そのようなフィルム情報読取装置は、その幅方向に撮影画像エリアとパーフォレーションエリアとバーコードエリアを配置させている写真フィルムを透過した光を光電変換する光電変換センサを備えるとともに、前記光電変換センサによって前記撮影画像エリアと前記パーフォレーションエリアと前記バーコードエリアが同時に読み取られ、前記光電変換センサによって取得された読取データから前記写真フィルムのパーフォレーションを認識するパーフォレーション認識部と、前記認識されたパーフォレーションを基準として前記読取データにおける前記写真フィルムのバーコードの位置を決定するバーコード位置決定部と、前記決定されたバーコードの位置に基づいて前記読取データから前記バーコードをデコードするバーコードデコード部が備えられている。当然ながら、このようなフィルム情報読取装置も上述したフィルム情報読取方法におけるすべての作用効果を得ることができる。
本発明によるその他の特徴及び利点は、以下図面を用いた実施形態の説明により明らかになるだろう。
【発明を実施するための最良の形態】
【００１２】
図１は本発明によるフィルム情報読取装置を組み込んだ写真プリント装置の一例を示す外観図であり、この写真プリント装置は、印画紙Ｐに対して露光処理と現像処理とを行う写真プリンタとしてのプリントステーション１Ｂと、現像済み写真フィルム１００やデジタルカメラ用メモリカードＭｂなどから取り込んだ撮影画像データを処理してプリントステーション１Ｂで使用されるプリントデータの生成・転送などを行う操作ステーション１Ａとから構成されている。
【００１３】
この写真プリント装置はデジタルミニラボとも称せられるものであり、図２からよく理解できるように、プリントステーション１Ｂは２つの印画紙マガジン１１に納めたロール状の印画紙Ｐを引き出してシートカッター１２でプリントサイズに切断すると共に、このように切断された印画紙Ｐに対し、バックプリント部１３で色補正情報やコマ番号などのプリント処理情報を印画紙Ｐの裏面に印字するとともに、露光部１４で印画紙Ｐの表面に撮影画像の露光を行い、この露光後の印画紙Ｐを複数の現像処理槽を有した処理槽ユニット１５に送り込んで現像処理する。乾燥の後に装置上部の横送りコンベア１６からソータ１７に送られた印画紙Ｐ、つまり写真プリントＰＰは、このソータ１７の複数のトレイ１７ａにオーダ単位で仕分けられた状態で集積される（図１参照）。
【００１４】
上述した印画紙Ｐに対する各種処理に合わせた搬送速度で印画紙Ｐを搬送するために印画紙搬送機構１８が敷設されている。印画紙搬送機構１８は、印画紙搬送方向に関して露光部１４の前後に配置されたチャッカー式印画紙搬送ユニット１８ａを含む複数の挟持搬送ローラ対から構成されている。
【００１５】
露光部１４には、副走査方向に搬送される印画紙Ｐに対して、主走査方向に沿って操作ステーション１Ａからのプリントデータに基づいてＲ（赤）、Ｇ（緑）、Ｂ（青）の３原色のレーザ光線の照射を行うライン露光ヘッドが設けられている。ライン露光ヘッドは、印画紙Ｐを副走査方向に搬送しながら、この搬送速度と同期して主走査方向に沿ったライン状に露光を行うよう構成されている。尚、露光ヘッドとしては、露光仕様に応じて、レーザビーム方式、蛍光ビーム方式、液晶シャッター方式、ＤＭＤ方式などの採用が可能であるが、ここではレーザビーム方式が採用されている。いずれにしても、ライン露光方式を採用しているので、プリントサイズは印画紙Ｐの幅と副走査方向での送り長さで決定される。処理槽ユニット１５は、発色現像処理液を貯留する発色現像槽１５ａと、漂白定着処理液を貯留する漂白定着槽１５ｂと、安定処理液を貯留する安定槽１５ｃを備えている。
【００１６】
前記操作ステーション１Ａのデスク状コンソールの上部位置には、写真フィルム１００から撮影画像やバーコードの形で形成されたＤＸコードなどのフィルム情報を取得するフィルムスキャナ２と、デジタルカメラ等に装着される画像記録媒体Ｍｂとして用いられている各種半導体メモリやＣＤ−Ｒなどから一連（１オーダ分）の撮影コマ画像データ（以下単に画像データと称す）を取得するメディアリーダ３が配置されるが、この実施形態では、メディアリーダ２１は、この写真プリント装置のコントローラ４として機能する汎用パソコンに組み込まれている。このコントローラ４には、さらに各種情報を表示するモニタ４ａ、各種設定や調整を行う際に用いる操作入力部として利用されるキーボード４ｂやマウス４ｃなども接続されている。
【００１７】
フィルムスキャナ２は、図２に模式的に示されているように、フィルム搬送ラインを構成するフィルムキャリヤユニット８０と、フィルムキャリヤユニット８０の上方に位置する光源２０と、フィルムキャリヤユニット８０に設けられたフィルム搬送機構８と、フィルムキャリヤユニット８０の下方に位置する光学レンズ２２と、この光学レンズ２２によって結像された写真フィルムの透過光を光電変換する光電変換センサとしてのＣＣＤラインセンサ２３を備えている。ＣＣＤラインセンサ２３はコントローラ３に装着された画像入力ボードと接続されており、ＣＣＤラインセンサ２３によって変換された画像データはコントローラ４に送り込まれる。
【００１８】
図３に断面図の形で図示されているフィルムキャリヤユニット８０は、搬送される写真フィルム１００の下側に位置するベース部材８０ａと搬送される写真フィルム１００の上側に位置するカバー部材８０ｂ、及びフィルム搬送機構８を構成するためにベース部材８０ａとカバー部材８０ｂとに分かれて配置されている複数の駆動ローラユニットを備えている。さらに、ベース部材８０ａには光源２０から発せられ写真フィルム１００を透過した光をスリット光として光学レンズ２２に導く通過孔形成ブロック８１が設けられている。
【００１９】
余計な光がＣＣＤラインセンサ２３に入射しないように光を遮蔽する遮蔽部材として機能する通過孔形成ブロック８１には、図３と図４から明らかなように、フィルム搬送方向に直角な横断方向に沿って、かつライン状の光源２０からの照明光の光軸に一致するようにスリット状の通過孔８１ａが形成されている。この通過孔８１ａの幅は１mm程度で、その長さは搬送中の写真フィルム１００の蛇行を考慮して写真フィルム１００の幅より長く設定されており、写真フィルム１００の撮影画像エリア１００ａ及び写真フィルム１００のエッジ領域に位置しているフィルムメーカ名やコマ番号等を示すバーコードが形成されているバーコードエリア１００ｂ及び撮影画像エリア１００ａとバーコードエリア１００ｂの間に位置するパーフォレーションエリア１００ｃを透過してきた光が光学レンズ２２を経てＣＣＤラインセンサ２３に到達することができる。これにより、ＣＣＤラインセンサ２３は、写真フィルム１００の撮影画像エリア１００ａだけではなくこれより外側に位置しているパーフォレーションエリア１００ｃとバーコードエリア１００ｂからの透過光も同時に検出することができる。
【００２０】
カールぐせを持っている写真フィルム１００の先端がスキャニング搬送時に写真フィルム１００の幅より長い通過孔８１ａに入り込まないように、図５から明らかなように、通過孔８１ａの両端領域、特に写真フィルム１００のエッジ領域１ｂに対応する箇所にここではガラス製の光透過性部材８２が埋め込まれている。この光透過性部材８２は円板状に加工されており、フィルム搬送面に円形端面を露出するように、通過孔形成ブロック８１に設けられた円柱凹部にはめ込まれている。光透過性部材８２の角部は面取りされており、その円形端面の一方側はフィルム搬送面のレベルに一致させられている。光透過性部材８２の円形端面の他方側、つまり写真フィルム１００と接しない方の面には銀又はアルミ蒸着によって減光層８２ａが形成されている（図３参照）。
【００２１】
この光透過性部材８２は写真フィルム１００のパーフォレーションエリア１００ｃとバーコードエリア１００ｂに光軸方向で重なり合うように位置決めされているので、光透過性部材８２の減光層８２ａは写真フィルム１００のパーフォレーションＰや素抜け部分（フィルムベース部だけが遮光要素となる部分）を通過した強い光量をもった光を減光し、過剰な光量の光がＣＣＤラインセンサ２３に達することを防止している。
【００２２】
透過光形成ブロック８１に形成された通過孔８１ａ中心線によって定義されるスキャニングラインＳＬのフィルム搬送方向上流側と下流側に写真フィルム１００の下面を支持するガイドローラ８ｂが配置されている。このガイドローラ８ｂは通過孔形成ブロック８１に設けられた溝に埋め込まれるような形でベース部材８０に対して回転可能に支持されている。
【００２３】
写真フィルム１００が所定のスキャン位置に位置決めされると、フィルム情報の読取処理が開始され、フィルム画像の透過光は、フィルム搬送機構８による写真フィルム１００の送りにより、撮影画像エリア１００ａとバーコードエリア１００ｂとパーフォレーションエリア１００ｃを透過してきた光が光学レンズ２２を経てＣＣＤラインセンサ２３に到達し、ＣＣＤラインセンサ２３によって光電変換されることで生成され、ＡＤ変換されることで生成された読取データはコントローラ４に送り込まれ、そこで、撮影画像データとバーコードデータが切り分けられ、それぞれ別々の処理が施される。このようにしてフィルムスキャナ２によって読み取られたフィルム情報に関するデータ処理は、以下に詳しく説明するように、コントローラ４によって行われる。
【００２４】
操作ステーション１Ａに搭載されているコントローラ４は、ＣＰＵを中核部材として、写真プリント出力に関する種々の動作を行うための機能部をハードウエア又はソフトウエアあるいはその両方で構築しているが、図６に示されているように、本発明によるフィルム情報の読み取りに特に関係する機能部としては、スキャナ２によって読み取られた読取データを取り込んでこの読取データを画像データとしてメモリ４０に展開する画像入力ボードとして構成されている画像入力制御部４１と、メモリ４０に展開された画像データから写真フィルム１００のパーフォレーションＰを認識するパーフォレーション認識部４２と、認識されたパーフォレーションＰの画像データ上の画素位置を基準としてこの読取データにおけるバーコードエリア１００ｂに対応する画素位置を決定するバーコード位置決定部４３と、ここで決定されたバーコードの位置（画像データ上の画素位置）に基づいて画像データからバーコードをデコードするバーコードデコード部４４と、各種ウインドウや各種操作ボタンなどを含むグラフィック操作画面の作成やそのようなグラフィック操作画面を通じてのユーザ操作入力（キーボード４ｂやマウス４ｃなどによる）から制御コマンドを生成するグラフィックユーザインターフェース（以下ＧＵＩと略称する）を構築するＧＵＩ部４５と、予め設定されたシーケンスやＧＵＩ部４５から送られてきた制御コマンドに基づいてプリント出力のための画像データ処理を管理するプリント管理部４６と、前記プリント管理部４６からの画像処理コマンドに基づいてメモリ４０に展開された画像データ内から切り出された撮影画像部分に画像処理を行う画像処理部４７と、撮影画像や予想仕上がりプリント画像としてのシミュレート画像及びＧＵＩ部４５から送られてきたグラフィックデータをモニタ４ａに表示させるためのビデオ信号を生成するビデオ制御部４８と、画像処理が完了した処理済み撮影画像のための画像データに基づいてプリントステーション１Ｂに装備されている露光部１４のライン露光ヘッドに適したプリントデータを生成するプリントデータ生成部４９などが挙げられる。
【００２５】
この実施形態では、画像入力制御部４１は、写真プリントソースが写真フィルム１００の場合プレスキャンモードと本スキャンモードの読取データを別々にメモリ４０に送り込む。プレスキャンモードでは、写真フィルム１００の撮影画像エリア１００ａからバーコードエリア１００ｂまでのほぼ全幅領域がスキャニングされ、本スキャンモードでは、撮影画像エリア１００ａに存在する撮影画像だけがスキャニングされる。もちろん、プレスキャンモードと本スキャンモードの２回スキャニング法に代えて、１回スキャニング法を採用しても良い。本発明にとって重要なことは、いずれかの読取データからバーコードエリア１００ｂに対応する画像データ部分を確定して、そのバーコードのデコードを行うことである。
【００２６】
図７に模式的に示されているように、写真フィルム１００の幅方向のエリアは、撮影画像エリア１００ａとパーフォレーションエリア１００ｃとバーコードエリア１００ｂに区画されているが、本発明では、これらの全エリアが同時にＣＣＤラインセンサ２３によって読み取られ、メモリ４０に画像データとして展開される。ＣＣＤラインセンサ２３の受光有効長さ：Ｗの有効利用を図るためには、撮影画像エリア１００ａの幅：Ｓとパーフォレーションエリア１００ｃの幅：Ｔとバーコードエリア１００ｂの幅：Ｕのトータル長さ：Ｓ＋２Ｔ＋２Ｕと受光有効長さ：Ｗが一致するように光学レンズ２２を設定することが理想的であるが、フィルム搬送機構８によって写真フィルム１００が搬送される際には蛇行が避けられず、スキャニングラインＳＬ上で写真フィルム１００の位置が幅方向にある程度変動することを考慮すると、この変動幅：ΔＤの余裕代が必要となる。このため、Ｓ＋２Ｔ＋２Ｕ＋ΔＤの長さの被スキャニング幅がＣＣＤラインセンサ２３の受光有効長さ：Ｗに一致するように光学レンズ２２が設定される。
【００２７】
このようにして設定された被スキャニング幅でもって写真フィルム１００がスキャニングされ、ＣＣＤラインセンサ２３から送り出された読取データがメモリ４０に画像データとして展開された状態が図８に模式的に示されている。図８は、理解しやすいようなイメージで示しているが、実際はＣＣＤラインセンサ２３の解像度に対応した縦方向画素数をもつ画素の集合であり、各画素は透過濃度値に対応する画素値を有している。ここで、写真フィルム１００のパーフォレーションＰに対応する画素の画素値は、写真フィルム１００の色素やベース層を透過していない光に対応することから、際だった濃度値を有することになり、その検出は簡単である。つまり、メモリ４０に展開されてくる画素群に対して、写真フィルム幅方向に対応するように延びた検出窓を設定し、その検出窓に含まれる画素の濃度値を閾値条件を用いてチェックすることでパーフォレーションＰに対応する画素領域を認識することができる。このようなパーフォレーションＰに対応するパーフォレーション画素領域の認識処理はパーフォレーション認識部４２によって行われるが、パーフォレーション画素領域の認識処理において重要となる明暗度に関する閾値をフィルムスキャナ２の状態や光透過性部材８２の減光層８２ａの状態に応じて最適に調整設定するための閾値設定部４２ａを備えている。写真フィルム１００においてパーフォレーションＰが所定ピッチで形成されていることから、このパーフォレーション画素も所定時間間隔で認識されることになる。
【００２８】
パーフォレーション画素領域が認識されると、このパーフォレーション画素領域の中心又はエッジから所定画素数分だけ外側に移動した点又はある画素数をもった長さ領域をバーコード位置：Ｂとして決定する。ここでの所定画素数分の値は、ＣＣＤラインセンサ２３の解像度や場合によっては読取対象写真フィルム１００の種別によって予め設定される。このようなバーコード位置の決定はバーコード位置決定部４３によって行われる。なお、前述したように、パーフォレーション画素の認識が所定時間間隔で行われるので、次のパーフォレーション画素が認識されるまでは、前回のパーフォレーション画素に基づくバーコード位置がそのまま利用される。
【００２９】
パーフォレーション画素位置が決定されると、バーコードデコード部４４は、フィルム長手方向に沿ってパーフォレーション画素の画素値を取り込んで、パーフォレーション画素が複数画素からなる場合その画素値の平均値を求めて、よく知られているバーコードデコードアルゴリズムを利用しながら、そのバーコードが意味するフィルムメーカ名や種別及びコマ番号を求め、プリント管理部４６に与える。
【００３０】
バーコードデコード部４４からフィルムメーカ名やフィルム種別及びコマ番号を与えられたプリント管理部４６は、これらのフィルム情報を、撮影画像の補正作業や撮影画像とコマ番号との対照作業ために参照する。
【００３１】
上述した実施の形態では、写真フィルム１００として等ピッチの連続したパーフォレーションＰを形成している１３５フィルムを取り上げて説明しているが、不連続で間隔が比較的あいているパーフォレーションを形成しているＩＸ２４０フィルムも同様に本発明によるフィルム情報読取装置で取り扱うことができる。その際は、パーフォレーション画素の認識が１３５フィルムよりは長い時間間隔でしか行われないが、パーフォレーション間に生じるフィルム蛇行による変位はほとんど無視できるので、次のパーフォレーション画素が認識されるまでは、前回のパーフォレーション画素に基づくバーコード位置を利用することで問題なくバーコードを検出することができる。
なお、上述した実施の形態では、光電変換センサとしてＣＣＤラインセンサといったライン走査型のセンサを用いていたが、これに限らずＣＣＤエリアセンサなどのエリア走査型のセンサを用いてもよく、本発明は特定タイプの光電変換センサに限定されるものではない。
【図面の簡単な説明】
【００３２】
【図１】本発明によるフィルム情報読取装置を組み込んだ写真プリント装置を示す外観図
【図２】写真プリント装置を構成する操作ステーションとプリントステーションの説明図
【図３】フィルムスキャナのスキャニングライン領域の概略断面図
【図４】フィルムスキャナのスキャニングライン領域の概略斜視図
【図５】図３の矢視Ａ−Ａからみたフィルムスキャナのスキャニングライン領域の概略平面図
【図６】写真プリント装置のコントローラに構築される機能を説明する機能ブロック図
【図７】写真フィルムの幅方向の各エリアとＣＣＤラインセンサの関係を示す模式図
【図８】メモリに展開された読取データにおける写真フィルムの各エリアの対応を示す模式図
【符号の説明】
【００３３】
２：フィルムスキャナ
４：コントローラ
２３：ＣＣＤラインセンサ（光電変換センサ）
４０：メモリ
４２：パーフォレーション認識部
４２ａ：閾値設定部
４３：バーコード位置決定部
４４：バーコードデコード部
４６：プリント管理部
４７：画像処理部
１００：写真フィルム
１００ａ：撮影画像エリア
１００ｂ：バーコードエリア
１００ｃ：パーフォレーションエリア
Ｐ：パーフォレーション
【図１】
2005345700.tif 000003
【図２】
2005345700.tif 000004
【図３】
2005345700.tif 000005
【図４】
2005345700.tif 000006
【図５】
2005345700.tif 000007
【図６】
2005345700.tif 000008
【図７】
2005345700.tif 000009
【図８】
2005345700.tif 000010